(57)【特許請求の範囲】
【請求項１】
検煙部に向けて発光する発光素子と、上記発光素子の駆動回路と、上記発光素子の光が上記検煙部内の煙粒子によって発生した散乱光を受光する受光素子と、上記受光素子の出力信号を増幅する増幅回路と、上記増幅回路の基準電位を生成する基準電位生成回路と、温度検出するＣＰＵのＡ／Ｄ変換部とを具備する煙感知器において、
上記基準電位生成回路に設けられている直列回路であって、抵抗とダイオードとからなる直列回路と：
上記抵抗と上記ダイオードとの接続点である上記基準電位生成回路の出力端子と、上記ＣＰＵのＡ／Ｄ変換部の入力端子との間に設けられているバッファ回路と；
上記基準電位を上記増幅回路に印加する印加タイミングの後に、上記Ａ／Ｄ変換部に電圧を印加する温度検出タイミングを設定し、上記印加タイミングと上記温度検出タイミングとが互いに重ならないように設定する設定手段と；
を有し、上記ＣＰＵのＡ／Ｄ変換部が、上記バッファ回路を経由した基準電位を温度検出に使用することを特徴とする煙感知器。
【請求項２】
請求項１において、
上記発光素子の駆動回路が、上記基準電位を使用することを特徴とする煙感知器。
【請求項３】
請求項１または請求項２において、
上記バッファ回路が、オペアンプであり、上記増幅回路を構成するオペアンプのうちで、余りの１段をバッファ回路のオペアンプとして使用することを特徴とする煙感知器。
【請求項４】
請求項３において、
上記バッファ回路のオペアンプの増幅率は、上記Ａ／Ｄ変換部の駆動電流分を生成するに充分な増幅率であることを特徴とする煙感知器。
【発明の詳細な説明】
【技術分野】
【０００１】
本発明は、煙感知器に関する。
【背景技術】
【０００２】
図２は、従来の煙感知器２００を示す回路図である。
【０００３】
従来の煙感知器２００は、電源Ｂ１と、基準電位生成回路１０と、信号制御回路６０と、オペアンプＯＰ１と、抵抗Ｒ２、Ｒ３と、ＬＥＤ駆動回路３０と、ＣＰＵのＡ／Ｄ変換部４０と、受光素子５０と、増幅回路ＡＭＰ１とを有する。
【特許文献１】特許第３２６７１８４号公報
【発明の開示】
【発明が解決しようとする課題】
【０００４】
従来の煙感知器２００において、受光素子５０が得た信号を増幅する際に、基準電位が必要であり、基準電位生成回路１０が、抵抗Ｒ１とダイオードＤ１とを使用して、基準電位Ｖ１を形成する。この場合、増幅回路ＡＭＰ１に流れ込む電流によって、基準電位Ｖ１が変動し、増幅回路ＡＭＰ１で増幅された信号に、上記基準電位Ｖ１の変動によるノイズが混入するという問題がある。
【０００５】
また、温度を検出する場合、ＣＰＵのＡ／Ｄ変換部４０が、基準電位Ｖ１を入力し、ＣＰＵのＡ／Ｄ変換部４０が変換した電圧に基づいて、温度を測定する。
【０００６】
しかし、ＣＰＵのＡ／Ｄ変換部４０がＡ／Ｄ変換する際に、上記ＣＰＵに電流が流れるので、基準電位Ｖ１が変化し、この基準電位Ｖ１が変化することによって、検出された温度の精度が低下するという問題がある。
【０００７】
つまり、上記従来例では、増幅回路の基準電位を安定化することができず、また、温度検出機能を安定化することができないという問題がある。
【０００８】
本発明は、増幅回路の基準電位と温度検出機能とを安定化することができる煙感知器を提供することを目的とする。
【課題を解決するための手段】
【０００９】
本発明は、検煙部に向けて発光する発光素子と、上記発光素子の駆動回路と、上記発光素子の光が上記検煙部内の煙粒子によって発生した散乱光を受光する受光素子と、上記受光素子の出力信号を増幅する増幅回路と、上記増幅回路の基準電位を生成する基準電位生成回路と、温度検出するＣＰＵのＡ／Ｄ変換部とを具備する煙感知器において、上記基準電位生成回路に設けられている直列回路であって、抵抗とダイオードとからなる直列回路と、上記抵抗と上記ダイオードとの接続点である上記基準電位生成回路の出力端子と、上記ＣＰＵのＡ／Ｄ変換部の入力端子との間に設けられているバッファ回路と、上記基準電位を上記増幅回路に印加する印加タイミングの後に、上記Ａ／Ｄ変換部に電圧を印加する温度検出タイミングを設定し、上記印加タイミングと上記温度検出タイミングとが互いに重ならないように設定する設定手段とを有し、上記ＣＰＵのＡ／Ｄ変換部が、上記バッファ回路を経由した基準電位を温度検出に使用することを特徴とする煙感知器である。
【発明の効果】
【００１０】
本発明によれば、基準電位生成回路が出力する基準電位が、バッファ回路を経由し、バッファ回路の出力インピーダンスが低いので、増幅回路の基準電位が安定し、また、温度検出回路の動作が安定するので、温度検出機能が安定するという効果を奏する。
【発明を実施するための最良の形態】
【００１１】
発明を実施するための最良の形態は、以下の実施例である。
【実施例１】
【００１２】
図１は、本発明の実施例１である煙感知器１００の要部を示す回路図である。
【００１３】
煙感知器１００は、電源Ｂ１と、基準電位生成回路１０と、バッファ回路２０と、オペアンプＯＰ１と、抵抗Ｒ２、Ｒ３と、ＬＥＤ駆動回路３０と、ＣＰＵのＡ／Ｄ変換部４０と、受光素子５０と、信号制御回路６０と、増幅回路ＡＭＰ１とを有する。
【００１４】
基準電位生成回路１０は、抵抗Ｒ１と、ダイオードＤ１とを有する。抵抗Ｒ１とダイオードＤ１とは直列接続され、抵抗Ｒ１の一端が電源Ｂ１に接続され、抵抗Ｒ１の他端がダイオードＤ１のアノードとが接続され、抵抗Ｒ１とダイオードＤ１のアノードとの接続点が、基準電位生成回路１０の出力端子１１であり、この出力端子１１に基準電位Ｖ１が出力される。
【００１５】
バッファ回路２０は、オペアンプＯＰ２と、抵抗Ｒ２１と、抵抗Ｒ３１とを有する。オペアンプＯＰ２は、その＋入力端子が基準電位生成回路１０の出力端子１１に接続され、オペアンプＯＰ２の−入力端子が抵抗Ｒ２１を介して、その出力端子に接続されている。
【００１６】
信号制御回路６０は、ＣＰＵからの発光制御信号に同期して、パルス状の信号を出力する回路であり、上記パルスの波高値は、安定化されている。
【００１７】
オペアンプＯＰ１の＋端子と、オペアンプＯＰ２の出力端子との間に、信号制御回路６０が接続されている。オペアンプＯＰ１の−端子とその出力端子との間に、抵抗Ｒ２が接続されている。オペアンプＯＰ１の出力端子に、ＬＥＤ駆動回路３０が接続されている。オペアンプＯＰ１の−端子とオペアンプＯＰ２の出力端子との間に、抵抗Ｒ３が接続されている。
【００１８】
バッファ回路２０の出力端子に、基準電位Ｖ２が発生する。この基準電位Ｖ２が、増幅回路ＡＭＰ１、ＣＰＵのＡ／Ｄ変換部４０に供給される。
【００１９】
また、オペアンプＯＰ２の出力端子が、増幅回路ＡＭＰ１の入力端子に接続されている。なお、オペアンプＯＰ２として、その出力インピーダンスが非常に小さいものが使用されている。
【００２０】
ＬＥＤ駆動回路３０は、バッファ回路２０が出力する基準電位Ｖ２に応じた定電流を発光素子に供給する定電流供給回路の例である。
【００２１】
増幅回路ＡＭＰ１は、受光素子５０の出力信号を増幅する回路である。
【００２２】
オペアンプＯＰ２の出力信号が、増幅回路ＡＭＰ１の基準電位として供給される。
【００２３】
次に、煙感知器１００の動作について説明する。
【００２４】
ＬＥＤ駆動回路３０が駆動する図示しない発光素子の発光した光が、検煙部に侵入した煙によって散乱光を発生し、この散乱光を、受光素子５０が受光する。受光信号は、増幅回路ＡＭＰ１で増幅され、ＣＰＵで煙検出レベルが閾値を超えると火災判断する。
【００２５】
煙感知器１００において、増幅回路ＡＭＰ１の安定性が高い理由について説明する。
【００２６】
上記実施例において、オペアンプＯＰ２の出力インピーダンスが非常に小さいので、オペアンプＯＰ２が出力する基準電位が変動せず、したがって、増幅回路ＡＭＰ１の安定性を高めることができる。
【００２７】
そして、ＣＰＵのＡ／Ｄ変換部４０に電圧を印加する温度検出タイミングの前に、受光素子５０の出力電圧を増幅する増幅回路ＡＭＰ１に上記基準電位を印加する印加タイミングを設定する。つまり、受光素子５０の出力電圧を増幅する増幅回路ＡＭＰ１に上記基準電位Ｖ２を印加する印加タイミングの後に、ＣＰＵのＡ／Ｄ変換部４０に電圧を印加する温度検出タイミングを設定し、両タイミングが互いに重ならないように設定する。
【００２８】
また、増幅回路ＡＭＰ１を構成するオペアンプのうちで、余りの１段をオペアンプＯＰ２として使用するので、低コスト化が図られる。つまり、複数のオペアンプが収納されるＩＣにおいて、その一部を増幅回路ＡＭＰ１として使用し、残りを、バッファ回路２０のオペアンプＯＰ２として使用することができる。たとえば、４素子入りのオペアンプのうちの３つを増幅回路ＡＭＰ１として使用し、残りの１つを、バッファ回路２０のオペアンプＯＰ２として使用する。
【００２９】
上記実施例によれば、バッファ回路２０の出力インピーダンスが非常に小さいので、基準電位Ｖ２が変動せず、したがって、増幅回路ＡＭＰ１の安定性を高めることができる。さらに、増幅回路を構成するオペアンプのうち、余りの１段を使用することによって、煙感知器１００の全体でコストダウンすることができる。
【００３０】
また、ダイオードＤ１に電流を流すことによって、オペアンプＯＰ２の＋端子に電圧が印加される。この電圧は、抵抗Ｒ２１と抵抗Ｒ３１との関係によって決定される増幅率により、ある電圧に増幅される。そして、ＣＰＵのＡ／Ｄ変換部４０を使用して温度を測定する際に、Ａ／Ｄ変換時の電流が増加するが、バッファ回路２０を使用することによって、Ａ／Ｄ変換による電圧変動を受けることがない。
【００３１】
つまり、上記実施例によれば、基準電位生成回路１０が出力する基準電位が、バッファ回路２０を経由し、バッファ回路２０の出力インピーダンスが低いので、増幅回路ＡＭＰ１の基準電位が安定し、また、温度検出回路に必要なＣＰＵのＡ／Ｄ４０の動作が安定するので、温度検出機能を高精度化することができる。
【図面の簡単な説明】
【００３２】
【図１】本発明の実施例１である煙感知器１００の要部を示す回路図である。
【図２】従来の煙感知器２００を示す回路図である。
【符号の説明】
【００３３】
１００…煙感知器、
１０…基準電位生成回路、
Ｄ１…ダイオード、
１１…出力端子、
２０…バッファ回路、
ＯＰ２…オペアンプ、
ＯＰ１…オペアンプ、
３０…ＬＥＤ駆動回路、
４０…ＣＰＵのＡ／Ｄ変換部、
５０…受光素子、
６０…信号制御回路、
ＡＭＰ１…増幅回路。
【図１】
0005243742.tif 000002
【図２】
0005243742.tif 000003